(57)【要約】【課題】影絵を幼児園などの教育現場や親子或いは子供同士等で気軽に楽しむことができ、照明器具単体として或いは影絵投影機能を備えた照明器具としても使用することができる影絵投影機兼照明器具を提供する。【解決手段】本考案の影絵投影機兼照明器具１は、影絵投影用シート２に対して光を照射する発光部（ＬＥＤ）３を備えた本体部４と、本体部４の一端４ａに設けられ先端側に向って徐々に拡張する拡張筒状部５と、拡張筒状部５の先端に設けられた影絵投影用シート配置部６に着脱可能に配置可能な影絵投影用シート保持枠７とを有している。【選択図】図１
0003215753.tif 000002
【実用新案登録請求の範囲】
【請求項１】
影絵投影用シートに対して光を照射する発光部を備えた本体部と、該本体部の一端に設けられた拡張筒状部と、該拡張筒状部の先端側に設けられた影絵投影用シート配置部に着脱可能に配置可能な影絵投影用シート保持枠とを有していることを特徴とする影絵投影機兼照明器具。
【請求項２】
前記拡張筒状部は、先端側に向って徐々に拡張するように形成されている請求項１に記載の影絵投影機兼照明器具。
【請求項３】
前記発光部は、ＬＥＤにて構成されている請求項１または２に記載の影絵投影機兼照明器具。
【請求項４】
前記影絵投影機兼照明器具は、取り換え可能な複数の前記影絵投影用シートを備えている請求項１ないし３のいずれかに記載の影絵投影機兼照明器具。
【請求項５】
前記影絵投影用シートは、和紙にて形成されている請求項１ないし４のいずれかに記載の影絵投影機兼照明器具。
【請求項６】
前記影絵投影用シートは、レーザーカットによる打ち抜きにて模様が形成されている請求項１ないし５のいずれかに記載の影絵投影機兼照明器具。
【請求項７】
前記本体部は、片手または両手で把持可能な太さに形成されている請求項１ないし６のいずれかに記載の影絵投影機兼照明器具。
【請求項８】
前記拡張筒状部は、側壁面が和紙にて形成されている請求項１ないし７のいずれかに記載の影絵投影機兼照明器具。
【請求項９】
前記本体部、前記拡張筒状部および前記影絵投影用シート保持枠は、躯体部分が檜にて構成されている請求項１ないし８のいずれかに記載の影絵投影機兼照明器具。
【請求項１０】
前記影絵投影用シート保持枠には、透明性樹脂シートが張設されている請求項１ないし９のいずれかに記載の影絵投影機兼照明器具。
【請求項１１】
前記影絵投影用シート配置部と前記影絵投影用シート保持枠の一方には磁石が配され、他方には強磁性体が配されている請求項１ないし１０のいずれかに記載の影絵投影機兼照明器具。
【考案の詳細な説明】
【技術分野】
【０００１】
本考案は、影絵投影機として使用することができると共に、照明器具や影絵投影機能を備えた照明器具としても使用可能な影絵投影機兼照明器具に関するものである。
【背景技術】
【０００２】
従来より、影絵をスクリーンに投影することができる影絵投影装置が種々提案されている。例えば、そのようなものとして、実開平５−３７２９６号公報の影絵投影器、特開平１１−２４４５４７号公報の影絵装置、または特開２００６−７１６９０号公報の影絵の表示装置などが挙げられる。
【０００３】
しかし、上記従来の影絵投影装置等は、影絵の投影に関する技術面に重きが置かれたものであり、影絵を幼児園などの教育現場や親子或いは子供同士等でも気軽に楽しめるよう配慮されたものでなかった。また、照明器具単体として、或いは影絵投影機能を備えた照明器具として使用できるように配慮されたものでもなかった。
【先行技術文献】
【特許文献】
【０００４】
【特許文献１】実開平５−３７２９６号公報
【特許文献２】特開平１１−２４４５４７号公報
【特許文献３】特開２００６−７１６９０号公報
【考案の概要】
【考案が解決しようとする課題】
【０００５】
そこで、本考案の課題は、影絵を幼児園などの教育現場や親子或いは子供同士等で気軽に楽しむことができ、照明器具単体として或いは影絵投影機能を備えた照明器具としても使用することができる影絵投影機兼照明器具を提供することにある。
【課題を解決するための手段】
【０００６】
上記課題を解決するものは、影絵投影用シートに対して光を照射する発光部を備えた本体筒状部と、該本体筒状部の一端に設けられた拡張筒状部と、該拡張筒状部の先端側に設けられた影絵投影用シート配置部に着脱可能に配置可能な影絵投影用シート保持枠とを有していることを特徴とする影絵投影機兼照明器具である。
【０００７】
前記拡張筒状部は、先端側に向って徐々に拡張するように形成されていることが好ましい（請求項２）。前記発光部は、ＬＥＤにて構成されていることが好ましい（請求項３）。前記影絵投影機兼照明器具は、取り換え可能な複数の前記影絵投影用シートを備えていることが好ましい（請求項４）。前記影絵投影用シートは、和紙にて形成されていることが好ましい（請求項５）。前記影絵投影用シートは、レーザーカットによる打ち抜きにて模様が形成されていることが好ましい（請求項６）。前記本体筒状部は、片手または両手で把持可能な太さに形成されていることが好ましい（請求項７）。前記拡張筒状部は、側壁面が和紙にて形成されていることが好ましい（請求項８）。前記本体筒状部、前記拡張筒状部および前記影絵投影用シート保持枠は、躯体部分が檜にて構成されていることが好ましい（請求項９）。前記影絵投影用シート保持枠には、透明性樹脂シートが張設されていることが好ましい（請求項１０）。前記影絵投影用シート配置部と前記影絵投影用シート保持枠の一方には磁石が配され、他方には強磁性体が配されていることが好ましい（請求項１１）。
【考案の効果】
【０００８】
請求項１に記載した影絵投影機兼照明器具によれば、影絵を幼児園などの教育現場や親子或いは子供同士等で気軽に楽しむことができ、照明器具単体として或いは影絵投影機能を備えた照明器具としても使用することができる。
請求項２に記載した影絵投影機兼照明器具によれば、拡大レンズがなくても影絵がより拡大される。
請求項３に記載した影絵投影機兼照明器具によれば、消費電力を低減できると共に長寿命な発光部を構成できる。
請求項４に記載した影絵投影機兼照明器具によれば、影絵投影用シートを取り換えて影絵を楽しむことができる。
請求項５に記載した影絵投影機兼照明器具によれば、強靭性、半透明性または柔和性等和紙の特質を利用して繊細かつ興趣に富んだ切り絵を形成できる。
請求項６に記載した影絵投影機兼照明器具によれば、より繊細かつ多彩な切り絵を形成できる。
請求項７に記載した影絵投影機兼照明器具によれば、影絵投影機兼照明器具の本体部を把持して所望の部位に影絵を投影できると共に、災害時等緊急時には懐中電灯の代用としても使用することができる。
請求項８または９に記載した影絵投影機兼照明器具によれば、柔和で優しく雰囲気のあり、インテンア性の高い照明器具となる。
請求項１０に記載した影絵投影機兼照明器具によれば、影絵投影用シートの影絵投影用シート配置部への配置がより容易になると共に、影絵投影用シートや影絵投影機兼照明器具の内部を保護することができる。
請求項１１に記載した影絵投影機兼照明器具によれば、影絵投影用シート配置部への影絵投影用シートの取り換えがより容易となる。
【図面の簡単な説明】
【０００９】
【図１】本考案の影絵投影機兼照明器具の一実施例の正面図である。
【図２】図１に示した影絵投影機兼照明器具の平面図である。
【図３】図１に示した影絵投影機兼照明器具の底面図である。
【図４】図１に示した影絵投影機兼照明器具の分解正面図である。
【図５】図１に示した影絵投影機兼照明器具の使用方法を説明するための説明図である。
【図６】図１に示した影絵投影機兼照明器具の使用方法を説明するための説明図である。
【図７】本考案の影絵投影機兼照明器具の影絵投影用シートの一実施例の正面図である。
【図８】本考案の影絵投影機兼照明器具の影絵投影用シートの他の実施例の正面図である。
【考案を実施するための形態】
【００１０】
本考案では、該影絵投影用シート２に対して光を照射する発光部（ＬＥＤ）３を備えた本体部４と、本体部４の一端４ａに設けられた拡張筒状部５と、拡張筒状部５の先端側に設けられた影絵投影用シート配置部６に着脱可能に配置可能な影絵投影用シート保持枠７とを有することで、影絵を幼児園などの教育現場や親子或いは子供同士等で気軽に楽しむことができ、照明器具単体として或いは影絵投影機能を備えた照明器具としても使用することができる影絵投影機兼照明器具１を実現した。
【実施例１】
【００１１】
本考案の影絵投影機兼照明器具を図１ないし図９に示した一実施例を用いて説明する。
この実施例の影絵投影機兼照明器具１は、図１または図４に示すように、影絵投影用シート２と、該影絵投影用シート２に対して光を照射する発光部（ＬＥＤ）３を備えた本体部４と、本体部４の一端４ａに設けられ先端側に向って徐々に拡張する拡張筒状部５と、拡張筒状部５の先端に設けられた影絵投影用シート配置部６に着脱可能に配置可能な影絵投影用シート保持枠７とを有している。以下、各構成について順次詳述する。
【００１２】
影絵投影用シート２は、影絵を、例えば天井、壁または床等をスクリーンとして投影するためのシートであり、例えば図７または図８に示すような様々な切り絵が形成されたものである。なお、図７に示した影絵投影用シート２Ａは、大自然のいきものシリーズの「海の中へ」であり、図８に示した影絵投影用シート２Ｂは、同シリーズの「流氷に乗って」であり、絵本(図示しない)と共に提供される。ただし、影絵投影用シートは遊技者自らが作製したものを使用してもよい。
【００１３】
影絵投影用シート２は、和紙（美濃和紙：手すき和紙）にて形成されている。これにより、強靭性、半透明性または柔和性等和紙の特質を利用して繊細かつ興趣に富んだ切り絵を形成できる。また、影絵投影用シート２は、レーザーカットによる打ち抜きにて模様が構成されている。これによって、より繊細かつ多彩な切り絵を形成できる。
【００１４】
本体部４は、影絵投影用シート２に対して光を照射する発光部（ＬＥＤ３）を備えた部位であり、図４に示すように、筒状の内部には、ＬＥＤ３と、ＬＥＤ３への電流供給を制御するための電子基板８と、電源である電池（単三電池４本）を設置するための電池ボックス９とを有する電源ユニット１０が収納されている。なお、この実施例の発光部３はＬＥＤ３にて構成されているが、本考案の影絵投影機兼照明器具の発光部はＬＥＤに限定されるものではない。また、この実施例の電源は電池であるが、本考案の影絵投影機兼照明器具は電池式に限定されるものではない。
【００１５】
本体部４の他端４ｂには、図３または図４に示すように、スイッチ１１を備えた蓋体１２が固定用ネジ１３により固定されている。スイッチ１１は本体部４の軸方向に沿って押圧可能に構成されており、この押圧によってＬＥＤ３がＯＮ／ＯＦＦするように構成されている。
【００１６】
本体部４および蓋体１２は、図３に示すように、平面視正方形に形成されており、片手または両手で把持可能な太さに構成されている。これにより、影絵投影機兼照明器具を把持して所望の部位に影絵を投影できると共に、災害時等緊急時には懐中電灯の代用としても使用することができる。なお、この実施例の本体部４および蓋体１２は平面視正方形に形成されているが、これに限定されるものではなく、例えば、平面視円形、楕円形、長方形、矩形以外の多角形状、その他の異形状のものも本考案の範疇に包含される。
【００１７】
拡張筒状部５は、照明器具としての照明部として機能する部位であり、図１または図３に示すように、本体部４の一端４ａに設けられ、先端側（図１上方）に向って徐々に拡張するように正面視台形形状に構成されている。本考案の影絵投影機兼照明器具１は、このような拡張筒状部５を有することにより、特に拡大レンズがなくても影絵投影用シート２に形成された切り絵を拡大して投影することができる。ただし、本考案の影絵投影機兼照明器具は拡大レンズを有しないものに限定されるものではなく、影絵投影用シートに形成された切り絵をさらに大きく拡大する場合は、拡張筒状部内または発光部の先端側に拡大用レンズを配したものも本考案の範疇に包含される。また、本考案の影絵投影機兼照明器具は、拡張筒状部が先端側に向って徐々に拡張するように構成されたものに限定されるものではなく、本体部４より太く形成され照明部として機能するものを広く包含する。
【００１８】
なお、この実施例の拡張筒状部５は、本体部４の一端４ａから斜め上方に延びる４本の側面構成枠部５ａ，５ｂ，５ｃ，５ｄを有し、これらによって形成される４つの側壁面５eは和紙（美濃和紙）が張設され構成されている。これにより、柔和で優しく雰囲気のある照明器具（和紙スタンド）としての使用が可能となる。
【００１９】
拡張筒状部５の先端には、水平方向に延在して矩形を形成する４本の水平枠部５ｆ，５ｇ，５ｈ，５ｉが設けられており、水平枠部５ｆ，５ｇ，５ｈ，５ｉの上面には、影絵投影用シート２を配置するための影絵投影用シート配置部６が構成されている。なお、この実施例の拡張筒状部５は、平面視正方形に形成されているが、これに限定されるものではなく、例えば、平面視円形、楕円形、長方形、矩形以外の多角形状、その他の異形状のものも本考案の範疇に包含される。
【００２０】
影絵投影用シート保持枠７は、影絵投影用シート配置部６に配置された影絵投影用シート２を、影絵投影用シート配置部６との間で挟持して保持するためのものである。この実施例の影絵投影用シート保持枠７は、図２に示すように、４本の枠体７ａ，７ｂ，７ｃ，７ｄを有している。なお、この実施例の影絵投影用シート保持枠７は平面視正方形に形成されているが、これに限定されるものではなく、例えば、平面視円形、楕円形、長方形、矩形以外の多角形状、その他の異形状のものも本考案の範疇に包含される。
【００２１】
また、影絵投影用シート保持枠７には、透明性樹脂シート（この実施例ではアクリル板）１４が張設されている。これにより、影絵投影用シート配置部６への配置がより容易になると共に、影絵投影用シート２や影絵投影機兼照明器具１の内部を保護することができる。なお、影絵投影用シート２に形成された切り絵をさらに大きく拡大するために、透明性樹脂シート（この実施例ではアクリル板）１４に代えて、影絵投影用シート保持枠７内に拡大レンズを配したものも本考案の範疇に包含される。
【００２２】
さらに、影絵投影用シート保持枠７は、影絵投影用シート配置部６に着脱可能に構成されている。具体的には、この実施例の影絵投影用シート保持枠７は、図２に示すように、四方部位にそれぞれ磁石１６が埋設されており、他方、影絵投影用シート配置部６の対応する四方部位には、それぞれ強磁性体（この実施例では鉄製ネジ）１５が埋設されている。これによって、影絵投影用シート保持枠７が影絵投影用シート配置部６に着脱自在となり、影絵投影用シート配置部への影絵投影用シートの取り換えがより容易となる。ただし、逆に、影絵投影用シート保持枠に強磁性体が配され、影絵投影用シート配置部に磁石が配されたものも本考案の範疇に包含される。
【００２３】
さらに、本体部４、拡張筒状部６および影絵投影用シート保持枠７は、躯体部分が檜（東濃ひのき）にて構成されている。これにより、より柔和で優しく雰囲気があり、インテンリア性の高い照明器具としての使用が可能となる。
【００２４】
つぎに、本考案の影絵投影機兼照明器具１の使用方法について図面を用いて説明する。
影絵投影機兼照明器具１を影絵投影機として使用する場合は、図５に示すように、影絵投影用シート保持枠７の上面に所望の影絵投影用シート２を載置して影絵投影用シート配置部６との間で挟持させる。この状態でスイッチ１１を押圧してＬＥＤ３を発光させ、図６に示すように、壁、天井、床などに向けると、影絵投影用シート２に形成された切り絵が拡大されて投影される。また、本体部４は片手または両手で把持可能な太さに構成されているため、親、先生または子供自体が把持して子供側に向けることで、影絵の中で子供が自由に影絵遊びに供することもできる。影絵の内容を変更する場合は、影絵投影用シート保持枠７を影絵投影用シート配置部６から外して影絵投影用シート２を取り換え、影絵投影用シート保持枠７と影絵投影用シート配置部６との間で挟持させることにより子供でも容易に他の影絵に変更することができる。影絵の投影を終了する場合は、再度、スイッチ１１を押圧してＬＥＤ３の発光を停止する。
【００２５】
また、影絵投影機兼照明器具１を照明器具として使用する場合は、本体部４側を上側として、或いは拡張筒状部５側を上側として（天地を逆にして）も、和紙と檜から構成されたインテリア性の高い照明器具として使用することができる。災害時等緊急時には、本体部４を把持して懐中電灯の代用としても使用することができる。
【００２６】
さらに、影絵投影機能を備えた照明器具として使用する場合は、拡張筒状部５側を上側として、影絵投影用シート保持枠７と影絵投影用シート配置部６との間に所望の影絵投影用シート２を配置してスイッチ１１を押圧してＬＥＤ３を発光させることで、拡張筒状部５は照明部として点灯すると共に、天井には影絵投影用シート２に形成された切り絵が拡大されて投影される。
【００２７】
以上のように、影絵投影機兼照明器具１では、影絵を幼児園などの教育現場や親子或いは子供同士等で気軽に楽しむことができ、照明器具単体として或いは影絵投影機能を備えた照明器具としても使用することができる。また、影絵投影機兼照明器具１の構造材料として、美濃和紙や東濃ひのきを使用することにより地場産業に貢献することができる。
【符号の説明】
【００２８】
１        影絵投影機兼照明器具
２        影絵投影用シート
３        ＬＥＤ
４        本体部
５        拡張筒状部
６        影絵投影用シート配置部
７        影絵投影用シート保持枠
８        電子基板
９        電池ボックス
１０      電源ユニット
１１      スイッチ
１２      蓋体
１３      固定用ネジ
１４      透明性シート
１５      磁石
１６      強磁性体
【図１】
0003215753.tif 000003
【図２】
0003215753.tif 000004
【図３】
0003215753.tif 000005
【図４】
0003215753.tif 000006
【図５】
0003215753.tif 000007
【図６】
0003215753.tif 000008
【図７】
0003215753.tif 000009
【図８】
0003215753.tif 000010